(57)【特許請求の範囲】
【請求項１】
鉄骨の柱及び梁で軸組を構成し、コンクリート系の床パネルで床を構成した建物における制振パネルの設置構造であって、
前記梁はＨ形鋼からなり、
前記制振パネルは前記建物内部の吹き抜け空間と居室空間との境界線に沿って配置され、
前記制振パネルの上端は、上階の梁の下フランジに取り付けられた断面Ｌ字状の一対の固定金物にて固定されており、
前記制振パネルの下端は、断面Ｊ字状でその下フランジが前記上階の梁の直下に位置する梁の上フランジのうち床パネルが載置されない吹き抜け空間側に取り付けられるとともにその上フランジが該下フランジの上方及び前記床パネルの上方に延伸した受け金物、及び、該受け金物の上フランジに固定された断面Ｌ字状の一対の固定金物にて固定されていることを特徴とする制振パネルの設置構造。
【請求項２】
前記制振パネルが透明ガラスからなり、その上下端が粘弾性体からなる制振ダンパーを介して前記固定金物にて固定されたことを特徴とする請求項１に記載した制振パネルの設置構造。
【発明の詳細な説明】
【技術分野】
【０００１】
鉄骨の柱及び梁で軸組を構成し、コンクリート系の床パネルで床を構成した建物における制振パネルの設置構造に関する。
【背景技術】
【０００２】
従来より新築あるいは既築の建物において、板状の部材を上下の梁の間に配置して地震時の振動の減衰性能を向上させる等、耐震性能を向上させることが行われてきた（例えば特許文献１）。鉄骨造の軸組にＡＬＣ（軽量気泡コンクリート）等コンクリート系の床パネルを敷設して床を構成した建物については、板状の部材の配置位置に沿って板状の部材を固定する固定金物（特許文献１でいう支持部材）を梁の上フランジに載置、固定し、固定金物との干渉部分を欠き込んだ床パネルを梁の上フランジに載置する必要がある。
【０００３】
【特許文献１】特開２００２−３０９７９８号公報
【発明の開示】
【発明が解決しようとする課題】
【０００４】
一般に上記床パネルは長手方向に補強鉄筋が配設されて床パネルの短辺が支持辺となっており、床パネルを支持する梁に固定金物を取り付けることを回避する場合、床の敷設方向の検討が必要であり、その為に梁の配置を当初の設計から変更することが必要となることがあった。また、既築の建物の耐震補強（振動の減衰）を行う場合には、床パネルで覆われた梁を露出させるためには床パネルを敷き込まれた状態のまま加工する必要があり手間がかかった。
【０００５】
本発明は、上記従来技術の問題点を解決し、新築の建物であっても既築の建物であっても梁等の他の躯体部材の取り付けに影響がなく、しかも容易に設置することができる制振パネルの設置構造を提供することを目的とする。
【課題を解決するための手段】
【０００６】
前記従来技術の課題を解決する為の本発明に係る制振パネルの設置構造の第１の構成は、鉄骨の柱及び梁で軸組を構成し、コンクリート系の床パネルで床を構成した建物における制振パネルの設置構造であって、前記梁はＨ形鋼からなり、前記制振パネルを前記建物内部の吹き抜け空間と居室空間との境界線に沿って配置され、前記制振パネルの上端は上階の梁の下フランジに取り付けられた断面Ｌ字状の一対の固定金物にて固定されており、前記制振パネルの下端は、断面Ｊ字状でその下フランジが前記上階の梁の直下に位置する梁の上フランジのうち床パネルが載置されない吹き抜け空間側に取り付けられるとともにその上フランジが該下フランジの上方及び前記床パネルの上方に延伸した受け金物、及び、該受け金物の上フランジに固定された断面Ｌ字状の一対の固定金物にて固定されていることを特徴とする。
【０００７】
なお、ここで吹き抜け空間とは、建物内部で床を有しない空間のことを指し、階段を備えた階段室も含む概念である。また居室空間とは、建物内部で床と天井を有する空間のことを指す。
【０００８】
本発明に係る制振パネルの設置構造の第２の構成は、前記制振パネルが透明ガラスからなり、その上下端が粘弾性体からなる制振ダンパーを介して前記固定金物にて固定されたことを特徴とする。
【発明の効果】
【０００９】
本発明に係る制振パネルの設置構造の第１の構成によれば、吹き抜け空間と居室空間の境界線上の床パネル等の障害物のない梁を利用して制振パネルを取り付けるので、床パネルの欠き込みが不要であり、新築、既築にかかわらず施工を容易に行うことができ、また、床パネルの支持が問題になることもない。
【００１０】
発明に係る制振パネルの設置構造の第２の構成によれば、制振パネルを透明ガラスで構成したので、耐震性能を向上させつつも居室空間に光が採りこみやすくなり、また、夫々の空間に開放感を与えることができる。更に、制振パネルを粘弾性体からなる制振ダンパーを介して固定したので、制振パネルを吹き抜け空間に面して設置しても、制振パネルを構成するガラスに過大な力が作用することがなく、ガラスが破損し下階に落下して住人に危害を及ぼす虞がない。
【発明を実施するための最良の形態】
【００１１】
次に、本発明に係る制振パネルの設置構造の最も好ましい形態について図を参照して説明する。
【００１２】
〔第１実施例〕
まず第１実施例について図１から図３を用いて説明する。本実施例は、３０５ｍｍの平面モジュールを有する鉄骨造の工業化住宅における制振パネルの設置構造であり、図１は３階の梁及び床パネルの割付を示す図、図２は制振パネルを設置した吹き抜け空間の断面図、図３は制振パネルの支持部の保持部の構成を示す図である。
【００１３】
図１、２に示すように、本建物Ａは、鉄骨の柱１と大梁２とを剛接合して３層の鉄骨造ラーメン構造の軸組が構成され、各階の大梁２や小梁３の上にＡＬＣ（軽量気泡コンクリート）からなる床パネル４を敷設して床が構成され、外周部の大梁２にＡＬＣからなる壁パネル５や開口パネル６を取り付けて外壁が構成されている。
【００１４】
柱１は直交する基準線（図中の一点鎖線）の交点上に立設され、大梁２は隣接する柱１どうしを連結するように基準線上に配置されている。そして、並列配置された大梁２の間には適宜小梁３が掛け渡されている。大梁２及び小梁３はＨ形鋼からなり、上下のフランジやウェブにはモジュールに基づくピッチで、小梁３や各種付帯部材をボルト１７にて接合する為のボルト孔が穿設されている。床パネル４は少なくとも支持辺である短辺２辺を大梁２や小梁３の上フランジの片側に載置することで支持されている。建物Ａ内部の３階Ａ３の一部領域には床パネル４が敷設されない吹き抜け空間７が形成されており２階Ａ２の空間と３階Ａ３の空間が連通した状態となっている。また、吹き抜け空間７の上方の屋上階Ａ４には、トップライト９が設けられている。
【００１５】
建物Ａ内部の床パネル４が敷設された居室空間と８吹き抜け空間７との境界線（境界部の基準線）上には大梁２´及び小梁３´が配置されている。この３階Ａ３の境界線上の大梁２´及び小梁３´の上フランジの居室空間８側には床パネル４が載置され、吹き抜け空間７側には床パネルは載置されていない。また、屋上階Ａ４においても、吹き抜け空間７と居室空間８の境界に対応する位置には大梁２´及び小梁３´が配置されている。
【００１６】
図３に示すように、３階Ａ３の大梁２´及び小梁３´において、上フランジの吹き抜け側には、長手方向に断面略Ｊ字状の受金物１０が載置され、ボルト孔を利用してボルト１７にて取り付けられている。受金物１０の上フランジは床パネル上にも延伸し上フランジと床パネルとの間の隙間には調整プレート１１が介挿されている。受金物１０のフランジ及び屋上階Ａ４の大梁２´及び小梁３´の下フランジには一対の断面Ｌ字状の固定金物１２が調整プレート１１を介しボルト１７にて取り付けられている。制振パネル１５は矩形の板状の透明ガラスからなり、その上端と下端の両面には粘弾性体からなる板状の制振ダンパー１３が接着され、更に制振ダンパー１３の外面側には所定位置にネジの切られたボルト孔を有する固定用プレート１４が接着されている。制振パネルは固定金物１２のボルト孔と固定用プレート１４のボルト孔の位置を合わせた状態でボルト１７にて固定されている。
【００１７】
なお、制振パネル１５は一般のガラス以外に、強化ガラス、合わせガラス等の他のガラスやアクリル等の合成樹脂でもよい。但し火災時の安全性を確保するためには、不燃材料であるガラス製が好ましい。また、制振ダンパー１３は連続的に配置しても部分的であってよく、必要とされる性能に応じて適宜決定すればよい。
【００１８】
上記構成の制振パネルの設置構造によると、地震が発生した際には上下の大梁２´や小梁３´が層間変位して構面が正負両方向に繰り返しせん断変形する。その際の制振ダンパー１３の構面方向の履歴変形によって振動エネルギーが吸収され建物Ａの振動が減衰する。
【００１９】
制振パネル１５は、吹き抜け空間７と居室空間８の境界線上の、床パネル４等の障害物のない梁の部位を利用して取り付けられているので、新築の建物であっても、既築の建物であっても施工を容易に行うことができ、また、制振ダンパー１３や制振パネル１５の点検・交換等のメンテナンスも容易に行うことができる。
【００２０】
トップライト９からの光は、透明ガラスからなる制振パネル１５越しに３階Ａ３の居室空間８に供給される。また、３階Ａ３の居室空間８の外壁面に開口パネル６からの光、あるいは３階Ａ３居室の照明器具による光が制振パネル１５越しに２階Ａ２の居室空間８に供給される。したがって、耐震性能を向上させつつも居室空間８に光を採りこみやすくなり、また、夫々の居室空間８に開放感を与えることもできる。
【００２１】
制振パネル１５は粘弾性体からなる制振ダンパー１３を介して固定されているので、吹き抜け空間７に面して設置をしても透明ガラスからなる制振パネルに過大な力が作用することがなく、制振パネル１５が破損し２階Ａ２の居室空間８に落下して住人に危害を及ぼす虞がない。また、制振パネル１５を不燃性のガラス製としたので、防火区画壁としても機能し火災時の安全性を高めることができる。
【００２２】
〔第２実施例〕
続いて第２実施例について図４を用いて説明する。本実施例の基本構成は第１実施例と共通であるが、本実施例では、吹き抜け空間に２階Ａ２と３階Ａ３をつなぐ直階段１６及び３階Ａ３と屋上階Ａ４とをつなぐ直階段１６´を重ね合わせて設置して階段室を構成しており、直階段の長辺側に制振パネル１５を設けたものである。なお、屋上部にはガラス扉を備えトップライト的に機能するペントハウスが設けられている。
【００２３】
直階段１６、１６´は骨組みを露出させ、桟状の簡易的な手摺を付加した所謂スケルトン階段であり、直階段１６、１６´に沿った位置に透明ガラスからなる制振パネル１５を配置したので、３階Ａ３の居室空間８を開放的で明るい空間とすることができる。
【産業上の利用可能性】
【００２４】
本発明の制振パネルの設置構造はラーメン構造に限定されず、ピンブレース構造等、柱及び梁からなる軸組に耐力要素を付加した構造形式でも適用が可能である。
【図面の簡単な説明】
【００２５】
【図１】第１実施例における３階の梁及び床パネルの割付を示す図である。
【図２】第１実施例における制振パネルを設置した吹き抜け空間の断面図である。
【図３】第１実施例における制振パネルの支持部の保持部の構成を示す図である。
【図４】第２実施例における制振パネルの設置状態を示す図である。
【符号の説明】
【００２６】
Ａ…建物
Ａ２…２階
Ａ３…３階
Ａ４…屋上階
１…柱
２…大梁
２´…境界線上の大梁
３…小梁
３´…境界線上の小梁
４…床パネル
５…壁パネル
６…開口パネル
７…吹き抜け空間
８…居室空間
９…トップライト
１０…受金物
１１…調整プレート
１２…固定金物
１３…制振ダンパー
１４…固定用プレート
１５…制振パネル
１６、１６´…直階段
１７…ボルト
【図１】
0005450971.tif 000002
【図２】
0005450971.tif 000003
【図３】
0005450971.tif 000004
【図４】
0005450971.tif 000005